(57)【要約】　　　（修正有）【課題】カートリッジ交換時、菌が飛散する危険性がなく，耐熱性を有し、使用制限時間情報が得られ，避難信号を発信し，取り出し易いガスマスクを提供する。【解決手段】有害菌を殺菌出来る銀担持方式の光触媒フィルターを装着し、フードは断熱性材料と機密性材料を使った２重構造とした。使用制限時間近くになると残り時間を使用者にアナウンスする機能や、電波発信機を装備した。緊急時に使用者が収納袋を叩くと瞬時に開封し、ガスマスクを容易取り出せる収納方法とした。【選択図】図１
2004065870.tif 000002
【特許請求の範囲】
【請求項１】
有毒ガスを化学的に無毒化あるいは吸収するフィルター（以下ガスフィルターとする）を備えたガスマスクにおいて、銀担持方式の光触媒を含んだフィルター（以下光触媒フィルターとする）をガスフィルターの前部に装着することを特徴とするガスマスク。
【請求項２】
請求項１で記述したガスフィルターと光触媒フィルターを内部に備えたカートリッジはカートリッジどうしを連結可能とし、初期に装着されたカートリッジを取り外すことなく新しい予備のカートリッジを取り付け可能とすることを特徴とするガスマスク。
【請求項３】
頭部全体を覆い外気から遮断する樹脂製のフードを持ったガスマスクにおいて、フードは２種類のシートで構成される２重構造とし、フードの外側はガラス繊維やセラミック繊維など高温の断熱性材料を使った断熱効果のある繊維状シート（以下耐熱シートとする）とし、内側は機密性を保つための塩ビなどの樹脂のシート（以下機密性シートと呼ぶ）とすることを特徴とするガスマスク。耐熱シートの厚さは０．５〜１０ｍｍとする。
【請求項４】
電子タイマーを取り付け、手動でスイッチを入れるか装着時に自動でスイッチが入る機構とし、合成音声で残り時間をアナウンスし使用者に時間の状況を知らせることを特徴とするガスマスク。
【請求項５】
請求項４タイマーとスイッチを共用し、スイッチが入ると共に設定された時間をカウントしリセットスイッチが押されない場合には発信機が作動して少なくとも６時間以上はＳＯＳなどの電波を発信することを特徴とするガスマスク。
【請求項６】
以上の請求項で記述したガスマスクを収納する袋として、機密性を保つアルミシートなどを材料とし、内部にはガスマスクを収納しかつ１気圧より高めの気体（不活性ガスや酸素を抜いた乾燥気体）を入れてふくらみを持たせ、ガスマスクを使用するときは使用者が収納袋を叩くと瞬時に収納袋を開封できる構造と機能を持つことを特徴とするガスマスク。
【発明の詳細な説明】
【０００１】
【発明の属する技術分野】
この発明は、従来のガスマスクに付加する銀担持の光触媒フィルター、ガスマスクのフードのシートに採用する耐熱と機密性の２重構造、および安全性と利便性を増す機器などに関する。
【０００２】
【従来の技術】
請求項１において、従来のガスマスクではガスフィルターの前部に微細な穴のフィルター（以下微細フィルターとする）を使い、ガスマスク使用者が有害細菌を吸入することを防いでいる。また、殺菌可能な酸化チタン方式の光触媒フィルターを使うマスクが出願されている。
請求項２において、ガスマスクのカートリッジの使用制限になった場合、従来方式では、使用済のカートリッジをはずしガスマスクからカートリッジを取り去った状態で新しい予備カートリッジを取り付ける方式としている。
請求項３において、フード付のガスマスクに関しては、従来方式がフードに塩ビなどの樹脂製のフードを採用し、首から上の体を毒ガスに接触させないように機密性を保ち毒ガスから遮断している。
請求項４において、ガスマスクの使用時間に関しては、従来のガスマスクでは使用者が直接的に使用可能時間を知る手段が無く、腕時計などを見ながら使用可能時間を計算している。
請求項５において、ガスマスク装着者の居場所確認に関しては、従来のガスマスクでは緊急避難時用の発信機を装備していない。
請求項６において、ガスマスクは機密性を保つシールの袋に入れ、その上、箱に詰めている。
【０００３】
【発明が解決しようとする課題】
請求項１において、従来のガスマスクでは微細フィルターで有害細菌の通過を阻止しできるが、有害細菌が微細フィルター上に残ってしまい、しかも細菌は微細フィルター上に高濃度でたまる（濃縮する）ことになる。このため、マスクを外した時、あるいはこのカートリッジを処分する際に有害細菌を吸い込んだり、残った有害細菌が飛散し害を及ぼす危険性があった。また、酸化チタン方式の光触媒を使ったマスクは既に特許が取得されているものの、酸化チタンでは紫外線の照射により殺菌が可能となるため、紫外線照射が無い夜間や屋内では殺菌できなかった。このガスマスクは屋内での使用を想定しており、屋内では通常、紫外線が照射されないので事実上殺菌を目的としたマスクとしては使用できなかった。請求項２において、ガスフィルターの取替えに関しては、従来方式が使用済のカートリッジを取り外し全くカートリッジの無い状態にして、次の新しいカートリッジを取り付けなければならなかった。つまり、毒ガスが充満している環境でカートリッジを取り替えるため使用者は使用済のカートリッジをはずした後、新しいカートリッジが正常な状態まで装着されるまでの間は息を止めておかなければならず、またうっかり毒ガスを吸い込む危険性が有った。
請求項３において、フードの材質に関しては、従来の樹脂材料でできたシートのみでは首以上をガスから遮断できても熱に対しては弱いので、温度の高い破片が樹脂に触れるだけで穴が開く可能性があり、その場合はガスが進入し、また火災によって生じる熱が樹脂に加わってフードが縮み髪や肌に高温の樹脂が付着し火傷を負ったりする危険性もある。
請求項４において、ガスマスクの使用制限時間情報を得ることに関しては、従来方式が自分の腕時計などで計算するしかなかったので、火災発生時の緊急の中では正確な時間管理が困難であった。制限時間が迫っていると勘違いしてあわてて避難しようとして危険性が高くなったり、使用可能時間をオーバーして毒ガスを吸う危険性もある。
請求項５において、ガスマスク使用者の居場所の探索に関しては、従来方式は電波発信機などを装備していなかったので有効手段な連絡方法を持たない場合には手段が無かった。
請求項６において、ガスマスクの収納方法については、機密性の有るシール袋などに入れその上で箱などに入れているため緊急時や照明が暗いときにはガスマスクを取り出すのが煩わしく時間もかかる。せっかく、装備しておきながら利用されないことも十分想定される。
【０００４】
【課題を解決するための手段】
以上の課題を解決するために、請求項１の発明は、
有毒ガスを化学的に無毒化あるいは吸収するフィルター（以下ガスフィルターとする）を備えたガスマスクにおいて、銀担持方式の光触媒を含んだフィルター（以下光触媒フィルターとする）をガスフィルターの前部に装着することを特徴とするガスマスク。
請求項２の発明は、
請求項１で記述したガスフィルターと光触媒フィルターを内部に備えたカートリッジはカートリッジどうしを連結可能とし、初期に装着されたカートリッジを取り外すことなく新しい予備のカートリッジを取り付け可能とする。
請求項３の発明は、
頭部全体を覆い外気から遮断する樹脂製のフードを持ったガスマスクにおいて、フードは２種類のシートで構成される２重構造とし、フードの外側はガラス繊維やセラミック繊維など高温の断熱性材料を使った断熱効果のある繊維状シート（以下耐熱シートとする）とし、内側は機密性を保つための塩ビなどの樹脂のシート（以下機密性シートと呼ぶ）とする。耐熱シートの厚さは０．５〜１０ｍｍとする。
請求項４の発明は、
電子タイマーを取り付け、手動でスイッチを入れるか装着時に自動でスイッチが入る機構とし、合成音声で残り時間をアナウンスし使用者に時間の状況を知らせることを特徴としたガスマスク。
請求項５の発明は、
請求項４タイマーとスイッチを共用し、スイッチが入ると共に設定された時間をカウントしリセットスイッチが押されない場合には発信機が作動して少なくとも６時間以上はＳＯＳなどの電波を発信するガスマスク。請求項４の電子タイマー、請求項５の無線機を駆動するための電池の充電は電磁カプラーなどを利用して非接触で実施する。
請求項６の発明は、
以上の請求項で記述したガスマスクを収納する袋として、機密性を保つアルミシートなどを材料とし、内部にはガスマスクを収納しかつ１気圧より高めの気体（不活性ガスや酸素を抜いた乾燥気体）を入れてふくらみを持たせ、ガスマスクを使用するときは使用者が収納袋を叩くと瞬時に収納袋を開封できる構造と機能を持つことを特徴とする。使用者が開封時に叩くべき位置は収納袋の上に印刷して示す。
【０００５】
【発明の実施の形態】
この発明の一実施形態を、図１〜４に示す。図１はフード付きガスマスクの概観図を示し、請求項全体に関わる。１は首から上を覆い外気を遮断するフード、２は外気を遮断しかつ視界を得るための透明な樹脂のシートである。３は殺菌用の光触媒フィルターや毒ガスを無毒化吸収させるガスフィルターが入ったカートリッジ、４はカートリッジやフードを頭に固定するためのバンド、５はガスマスクの使用残り時間を知らせる電子タイマーやＳＯＳなどの電波を発信する発信機が入ったケースである。
請求項１を説明する。図２はガスフィルターや光触媒フィルターが入ったカートリッジの切断面を示している。６のガスフィルターと７の光触媒フィルターとは８や９の固定材料にはさまれて固定されている。なお、８の入り口側の表面には透明な樹脂などでできた目の粗い網が設置され大き目のごみの進入を阻止する。この網は可視光線が光触媒フィルターに届くよう目を粗くするよう配慮されている。カートリッジの入り口から入った気体は８を通過し、次に７の光触媒フィルターを通過する。このとき、光触媒フィルターに可視光線が照射されていれば光触媒を通過した気体に含まれる細菌はそれぞれの細菌の耐久時間に応じて最大数時間程度で死滅し害を及ぼさない。７の光触媒を通過した気体は９の固定材、６のガスフィルター、１０の固定材を通過して、使用者の口や鼻に吸収される。
請求項２を説明する。図３のように当初から装着されていた３のカートリッジの使用制限時間が来る前に１１の予備カートリッジを３のカートリッジに連結させる。この３と１１のカートリッジは同一構造のものであり、１１のカートリッジをガスマスク本体に対して脱着させることが可能である。カートリッジは必ずしも同じ大きさ、同じ容量である必要は無いが、ガスマスク本体への脱着、カートリッジどうしの連結はできなければならない。
請求項３を説明する。１（図１、図３）のフードは図４のように２種類のシートを張り合わせた２重構造のシートになっており、外側が１２の耐熱シート、内側が１３の機密性シートとなっている。２種類のシートは大きく相互の位置がずれない限り機能を失わないので張り合わせはラフなものでも良い。
請求項４，５を説明する。図１に示したように耳の近くなどに電子タイマーと発信機の二つの機能を備えた電子回路、スピーカー、電池などを内蔵した小型機器を設置する。スピーカーは小型機の位置にかかわらず耳のところにセットされる。
請求項６を説明する。本発明のガスマスクを図５の１４の収納袋に収納する。収納袋は１６のガスマスクを入れても余裕の有る大きさとし、中に不活性ガスなどを１気圧より大きい圧力で封入してあり、機密性が保たれている。１４の収納袋の上部には１５のような物理的に弱い部分を作ってあり、上から叩くことにより、この弱い部分が瞬間的に破れるようになっている。１５の部分を物理的に弱くするには１５の部分を薄くするのが最も簡単である。この外に、１５の部分に上から機密性が保たれる範囲で切込みを入れたり、収納袋全体は補強シールを入れた２重構造とし１５の部分は補強シールが無いようにする手がある。
【０００６】
「実施形態の効果」
この実施形態によれば、請求項１関連では、ガスマスク使用者が吸入するとき図２の７の光触媒フィルターを通った空気が殺菌されるので、６のガスフィルターに捕獲され濃縮された有害菌が、カートリッジをはずしたり処分するときに飛散したり繁殖して害を及ぼすことが無い。
請求項２関連では、図３の３のカートリッジの使用制限時間に近づいたとき、１１の予備カートリッジを連結させることにより、３を１１に取り替える場合に比較して、使用者が息を止めて取り替える必要が無く、うっかり有毒ガスや有害細菌を吸い込むリスクを完全に排除する。また、新しい予備カートリッジをたくさん用意しておけば安全に使用時間を延長できる。
請求項３関連では、ガスマスクのフードの外側に図４の１２の耐熱シート内側に１３の機密性シートを使う２重構造とすることにより、火災時に高温の破片が触れるだけで機密性シートに穴が開き毒ガスや有害細菌が皮膚などに触れる危険性を排除し、耐熱シートの断熱機能により火災の熱から首から上の重要な部分を守り、機密性シートが熱で収縮して皮膚などに付着したりもっとひどい場合には熱で溶けた高温の樹脂が皮膚などについて火傷するのを防ぐ。
請求項４関連では、ガスマスクが使用できる残り時間を合成音声で「残り時間は○○分です」と使用者に伝え時間計算を間違えて危険な状態に陥ることを防止する。また、カートリッジの取替えを促し、カートリッジの取替え方法などを伝えることにより安全性を増すことができる。
請求項５関連では、ガスマスクからの電波発信で安全な場所に退避できていないガスマスク使用者の存在とその存在場所を知らせることができ、救助が時間的にも労力的にも効率的に実施できる。捜索者が発信機を備えたガスマスク捜索者の位置を知るには、例えば３個のアンテナで電界強度を調べればそれを計測することができるし、１個のアンテナでも方向や場所を変えながら電解強度を計測すれば位置を知ることができる。
請求項６関連では、いざ火災になり、一瞬の時間も猶予できないときに、ガスマスクの収納袋を叩くだけでガスマスクを取り出すことができるので、ガスマスクを装着する意欲が起こりやすくガスマスクの装着率が向上する可能性がある。また、打撃一発で収納袋を簡便に確実に開いてガスマスクを取り出せるので緊急時の安全性を高め、労力や時間が軽減される。
【０００７】
「他の実施形態」
図１ではフード付きのガスマスクを提示したがフードが無いものでも請求項３以外は適用できる。図１の５の電子機器は特に耳の場所に取り付ける必要は無いがスピーカーは耳か耳の近くの位置に取り付けることが望まれる。図１、図２のカートリッジは円形である必要は無く、楕円でもその他の形状でも、口と鼻を効果的にカバーできるものなら何でも良い。
請求項１関連：図２の７の銀担持の光触媒フィルターは不織布でも通常の布でも、あるいは紙でもよく、光触媒繊維の混合比率も目的や使用条件によって変えられる。ただし、可視光線照射が少ないところでは光触媒繊維の比率を高くする必要がある。光触媒フィルターの前のゴミ取りの網を省くこともできる。光触媒フィルターは半永久的に使用できるので、これだけを再使用する方式としても良い。また、光触媒フィルターはガスマスクだけではなく、その他のマスクにも適用できる。
請求項２関連：図１および図３の３のガスマスクに当初ついていたカートリッジが使えなくなる前にそのカートリッジを取り外さず、装着したままで図３の１１の予備のカートリッジを連結することさえ満たせば、カートリッジが同じ形状や同じ容量である必要は無く、また、初期に装着するカートリッジが脱着可能である必要も無い。カートリッジの装着は直線的に押し込む、ねじ込み式、あるいは押し込んで回転させる方法も考えられる。そして、できれば正常な位置にカートリッジを装着したときにバネが溝に落ちてロックするなどの機械的なラッチがかかり、音がすることにより使用者は正常な装着を知り、安心感を得ることができる。
請求項３関連：図４の１２の耐熱シートの材質はガラス繊維やセラミック繊維などのほかに、ロックウールや断熱機能を有する繊維，不織布、樹脂、紙などが使える。耐熱シートと機密性シートは機密性が保たれ使用上で不都合が無い限り、どのように張り合わせても、縫っても良いし、特に２種類のシートが密着する必要も無い。
請求項４関連：カートリッジの使用に関して残り時間を使用者に知らせる方法として次第に不連続な音が早くなって最後は連続音になったり、あるいは次第に警報音が大きくなる方式でも良い。カートリッジの取替え方法の音声案内以外にガスマスクの使用方法や説明などを知らせても良い。
請求項５関連：ガスマスクを装着してスイッチが入ったと同時に無線機を発信しても良いし、持ち主、ビルなどの情報をあらかじめ専用の端末機によりインプットしておいて流しても良い。また、ホテルなどにおいてガスマスクを設置する場所の近くからアンテナで部屋利用者の情報を送信し、ガスマスクの電子機器のメモリーに記録させておき、送信させても良い。そのほかに、捜索者の情報などを無線でガスマスクの電子機器に送信し、ガスマスク使用者がその情報を入手できるようにしても良い。
請求項６関連：図５の１４のガスマスク収納袋はガスマスクがコンパクトに収納できるのであれば特に形状は四角でも楕円でもサンドバッグのようなものでもよい。収納袋の叩く位置はシールを貼って示しても良い。
【０００８】
【発明の効果】
請求項１関連では、ガスマスク使用者の呼吸でカートリッジ内に吸引した気体に含まれる有害細菌を殺菌でき、かつ従来方式がフィルター上に有害細菌を濃縮しその有害細菌が飛散する危険性を排除する。
請求書２関連では、初期に装着されているカートリッジの仕様制限時間が近くなったときに、そのカートリッジを取り外して、次の予備カートリッジを取り付ける間に息を止めたり、あるいは間違って有毒ガスや有害細菌を吸い込む危険性を完全に排除する。
請求項３では、フード付きのガスマスクにおいて、高温破片がフードに接触することにより樹脂製などのフードが破損し、機密性が壊れて首から上の皮膚や目が有毒ガスや有害細菌に触れることを防止する。また、火災時の高温の炎や輻射熱からの熱を軽減し火傷などを防ぐ。
請求項４では、火災発生時の緊迫した状況の中でガスマスクが使用できる残り時間を音声で知らせることにより時間を間違える危険性を排除し、精神的な安定を与え、かつ予備カートリッジの使用タイミングを知らせて安全性を高めるものである。
請求項５では、ガスマスクからＳＯＳなどの電波を発生させ安全な場所に非難できていないガスマスク装着者が存在することと、その居場所を探すのを容易にする。
請求項６は、ガスマスクの収納袋を叩けば、あるいは圧力をかければ簡単に中からガスマスクを取り出せるようにし、緊迫した中での装着までの時間と労力を軽減する。
【図面の簡単な説明】
【図１】フード付きガスマスクの概観図である。
【図２】ガスフィルターや光触媒フィルターが入ったカートリッジの切断面の図である。
【図３】ガスマスクに当初からセットしていたカートリッジに予備カートリッジを連結させた状態を表す図である。
【図４】２重構造となっているフードの断面図である。
【図５】ガスマスクの収納袋の平面図と側面図である。
【符号の説明】
１　フード付きガスマスクのフード部分
２　目の部分を保護する透明樹脂
３　ガスフィルターや光触媒フィルターが入ったカートリッジ
４　カートリッジやガスマスクを固定するバンド
５　タイマーや発信機の機能を持つ電子機器
６　ガスフィルター
７　光触媒フィルター
８、９、１０　光触媒フィルターやガスフィルターの固定材
１１　予備カートリッジ
１２　２重構造となっているフード材料の外側の耐熱シート
１３　２重構造となっているフード材料の内側の機密性シート
１４　ガスマスクの収納袋
１５　収納袋のうち破れ易くなっている部分
１６　ガスマスク（収納袋の中）
【図１】
2004065870.tif 000003
【図２】
2004065870.tif 000004
【図３】
2004065870.tif 000005
【図４】
2004065870.tif 000006
【図５】
2004065870.tif 000007